(57)【要約】【課題】製造誤差に基づくファインダ画像と撮影画像の傾きを簡単に修正する。【解決手段】ＣＣＤ１０２は、カメラ本体１２に回動自在に支持されたホルダ１０４に取り付けられて、光軸周りに回動自在に設けられている。ホルダ１０４は、カメラ本体１２に備えられた傾き調整ツマミ６０を回転操作することにより、その回転操作量に応じて回動可能に設けられている。傾き調整ツマミ６０を回転操作してホルダ１０４を回動させると、ＣＣＤ１０２が光軸周りに回転し、これにより、ＣＣＤ１０２の傾きが調整される。【選択図】      図４
2007306417.tif 000002
【特許請求の範囲】
【請求項１】
撮影レンズと撮像素子の間に配設されたミラーによってフォーカシングスクリーン上に投影される被写体像を接眼レンズで観察するデジタル一眼レフカメラにおいて、
前記撮像素子を保持する保持部材であって、前記撮像素子が光軸周りに回動するようにカメラ本体に回動自在に支持された保持部材と、
前記保持部材の回動位置を調整して、前記保持部材に保持された前記撮像素子の光軸周りの傾きを調整する調整手段と、
を備えたことを特徴とするデジタル一眼レフカメラ。
【請求項２】
撮影レンズと撮像素子の間に配設されたミラーによってフォーカシングスクリーン上に投影される被写体像を接眼レンズで観察するデジタル一眼レフカメラにおいて、
前記フォーカシングスクリーン又は視野枠を保持する保持部材であって、前記フォーカシングスクリーン又は視野枠が光軸周りに回動するようにカメラ本体に回動自在に支持された保持部材と、
前記保持部材の回動位置を調整して、前記保持部材に保持された前記フォーカシングスクリーンの光軸周りの傾きを調整する調整手段と、
を備えたことを特徴とするデジタル一眼レフカメラ。
【請求項３】
撮影レンズと撮像素子の間に配設されたミラーによってフォーカシングスクリーン上に投影される被写体像を接眼レンズで観察するデジタル一眼レフカメラにおいて、
撮影により得られる画像の傾きの修正値を入力する入力手段と、
前記入力手段から入力された修正値に基づいて撮影により得られた画像の傾きを修正する画像処理手段と、
を備えたことを特徴とするデジタル一眼レフカメラ。
【発明の詳細な説明】
【技術分野】
【０００１】
本発明はデジタル一眼レフカメラに係り、特に撮影レンズと撮像素子の間に配設されたミラーによってフォーカシングスクリーン上に投影される被写体像を接眼レンズで観察するデジタル一眼レフカメラに関する。
【背景技術】
【０００２】
従来の一般なデジタルカメラでは、ＣＣＤ等の撮像素子を板金に接着固定し、その板金をレンズ鏡筒や筐体にねじ止めして、撮像素子を取り付けている。
【０００３】
しかしながら、撮像素子自体の部品精度がよくないことから、撮像素子を接着固定した板金をねじ止めするだけでは、光学性能として要求されるピント面の位置精度（主に、ＣＣＤ撮像素子の光軸に対する傾きや芯ずれなど）を確保できないという問題があった。
【０００４】
このため、従来のデジタルカメラの製造工程では、撮像素子を取り付ける際、撮像素子の光軸に対する傾きや芯ずれ検出し、撮像素子を微調整しながら取り付けていた。
【０００５】
しかしながら、このように撮像素子の光軸に対する傾きや芯ずれ検出し、撮像素子を微調整しながら取り付ける方法では、大掛かりな設備が必要となるとともに、製造効率が著しく低下するという問題があった。
【０００６】
そこで、特許文献１、２では、撮像素子を光軸に対して傾斜可能に取り付け、光軸に対する撮像素子の傾きを微調整できるようにすることが提案されている。
【特許文献１】特開２００５−１１７２５３号公報
【特許文献２】特開２００５−１６７８１５号公報
【発明の開示】
【発明が解決しようとする課題】
【０００７】
しかしながら、上記特許文献１、２に記載された方法では、光軸に対する撮像素子の傾きは補正できても、光軸周りの傾きの補正は、補正できないという欠点がある。
【０００８】
このような欠点は、コンパクトタイプのデジタルカメラのように、いわゆるスルー画像を見ながら撮影するタイプのデジタルカメラの場合には、あまり問題にはならないが、一眼レフカメラの場合には、撮像素子が光軸周りに傾いて取り付けられていると、ファインダで確認した画像と実際に撮影される画像との間に傾き差が生じ、撮影者が意図した画像と異なる画像が撮影されるという問題が生じる。
【０００９】
この傾き差をなくすためには、上記同様に、製造工程でフォーカシングスクリーンと撮像素子の取り付け位置を厳しく管理する必要があるが、このように製造工程でフォーカシングスクリーンと撮像素子の取り付け位置を厳しく管理すると、大掛かりな設備が必要になるとともに、製造効率が著しく低下するという欠点がある。
【００１０】
本発明は、このような事情に鑑みてなされたもので、製造誤差に基づく画像の傾きを簡単に修正できるデジタル一眼レフカメラを提供することを目的とする。
【課題を解決するための手段】
【００１１】
請求項１に係る発明は、前記目的を達成するために、撮影レンズと撮像素子の間に配設されたミラーによってフォーカシングスクリーン上に投影される被写体像を接眼レンズで観察するデジタル一眼レフカメラにおいて、前記撮像素子を保持する保持部材であって、前記撮像素子が光軸周りに回動するようにカメラ本体に回動自在に支持された保持部材と、前記保持部材の回動位置を調整して、前記保持部材に保持された前記撮像素子の光軸周りの傾きを調整する調整手段と、を備えたことを特徴とする一眼レフカメラを提供する。
【００１２】
請求項１に係る発明によれば、撮像素子が保持部材によって光軸周りに回動自在に保持される。撮像素子は、この保持部材の回動位置を調整手段で調整することにより、光軸周りの傾きを調整できる。
【００１３】
請求項２に係る発明は、前記目的を達成するために、撮影レンズと撮像素子の間に配設されたミラーによってフォーカシングスクリーン上に投影される被写体像を接眼レンズで観察するデジタル一眼レフカメラにおいて、前記フォーカシングスクリーン又は視野枠を保持する保持部材であって、前記フォーカシングスクリーン又は視野枠が光軸周りに回動するようにカメラ本体に回動自在に支持された保持部材と、前記保持部材の回動位置を調整して、前記保持部材に保持された前記フォーカシングスクリーンの光軸周りの傾きを調整する調整手段と、を備えたことを特徴とする一眼レフカメラを提供する。
【００１４】
請求項２に係る発明によれば、フォーカシングスクリーン又は視野枠が保持部材によって光軸周りに回動自在に保持される。フォーカシングスクリーン又は視野枠は、この保持部材の回動位置を調整手段で調整することにより、光軸周りの傾きが調整できる。
【００１５】
請求項３に係る発明は、前記目的を達成するために、撮影レンズと撮像素子の間に配設されたミラーによってフォーカシングスクリーン上に投影される被写体像を接眼レンズで観察するデジタル一眼レフカメラにおいて、撮影により得られる画像の傾きの修正値を入力する入力手段と、前記入力手段から入力された修正値に基づいて撮影により得られた画像の傾きを修正する画像処理手段と、を備えたことを特徴とする一眼レフカメラを提供する。
【００１６】
請求項３に係る発明によれば、傾きの修正値を入力手段から入力すると、その入力された修正値に基づいて撮影により得られた画像の傾きが画像処理手段によって自動的に修正される。
【発明の効果】
【００１７】
本発明に係るデジタル一眼レフカメラによれば、製造誤差に基づく画像の傾きを簡単に修正することができる。
【発明を実施するための最良の形態】
【００１８】
以下、添付図面を参照して本発明に係るデジタル一眼レフカメラを実施するための最良の形態について説明する。
【００１９】
図１、図２は、それぞれ本発明に係るデジタル一眼レフカメラ１０の第１の実施の形態の外観構成を示す正面斜視図と背面斜視図である。
【００２０】
同図に示すように、本実施の形態のデジタル一眼レフカメラ１０は、カメラ本体１２と、そのカメラ本体１２に着脱自在に取り付けられる撮影レンズ１４とで構成されている。
【００２１】
撮影レンズ１４は、その基端部に設けられたレンズ側マウントをカメラ本体１２の正面に設けられたカメラ側マウントに装着することにより、カメラ本体１２に取り付けられる。
【００２２】
カメラ本体１２の正面には、このカメラ側マウントの他、ＡＦ補助光ランプ１６、被写界深度確認ボタン１８、シンクロターミナル２０、グリップ２２等が設けられており、上面には、シャッタボタン２４、電源レバー２６、サブコマンドダイヤル２８、上面表示パネル３０、モードダイヤル３２、アクセサリーシュー３４、ストロボ３６等が設けられている。
【００２３】
また、カメラ本体１２の背面には、ファインダ接眼部３８、視度調整レバー４０、液晶モニタ４２、スロットカバー４４、背面表示パネル４６、十字ボタン４８、メニューボタン５０、バックボタン５２、ファンクションボタン５４、メインコマンドダイヤル５６、再生ボタン５８等が設けられており、右側面には、傾き調整ツマミ６０等が設けられている。
【００２４】
なお、傾き調整ツマミ６０が設けられている点以外は、一般的に公知のデジタル一眼レフカメラと同じ構成である。すなわち、被写体像の確認は、ファインダ接眼部３８を介して行われ、このファインダ接眼部３８を覗くことにより、フォーカシングスクリーン上に投影される被写体像を観察する。そして、シャッタボタン２４を押すことにより、撮影の指示を与え、撮影により得られた画像をメモリカードに記録する。また、メモリカードに記録した画像は、カメラのモードを再生モードに設定することにより（本実施の形態では、再生ボタン５８の押下）、液晶モニタ４２に再生表示される。
【００２５】
傾き調整ツマミ６０は、カメラ本体１２に内蔵された撮像素子（本実施の形態ではＣＣＤとする）を光軸周りに回転させるものであり、この傾き調整ツマミ６０を操作して、ＣＣＤを光軸周りに回転させることにより、ＣＣＤの光軸周りの傾きを調整する。以下、このＣＣＤの傾き調整機構について説明する。
【００２６】
図３、図４は、それぞれ本実施の形態のデジタル一眼レフカメラ１０に組み込まれたＣＣＤの傾き調整機構１００の概略構成を示す側面図と正面図である。
【００２７】
同図に示すように、ＣＣＤの傾き調整機構１００は、ＣＣＤ１０２が取り付けられるホルダ１０４と、そのホルダ１０４を軸支する軸受１０６と、そのホルダ１０４に一体的に形成されたギア部１０８と、ギア部１０８に噛み合わされるウォームギア１１０と、ウォームギア１１０を回転させる傾き調整ツマミ６０とで構成される。
【００２８】
ホルダ１０４は、板状に形成されており、その正面にＣＣＤ１０２が接着等によって取り付けられている。ホルダ１０４の裏面には、正面に取り付けられたＣＣＤ１０２の中心と同軸上に回転軸１０４Ａが取り付けられており、この回転軸１０４Ａが軸受１０６に軸支されることにより、ホルダ１０４がカメラ本体１２に対して回動自在に支持される。そして、このホルダ１０４が回動することにより、ホルダ１０４に取り付けられたＣＣＤ１０２が、その中心を回動中心として回動し、傾きが修正される。
【００２９】
軸受１０６は、カメラ本体１２に装着された撮影レンズ１４の光軸Ｌ上に配置されており、図示しないカメラ本体１２の内部フレームに固定されている。この軸受１０６は、上記のように、ホルダ１０４を軸支し、これにより、ホルダ１０４に取り付けられたＣＣＤ１０２が光軸周りに回動自在に保持される。
【００３０】
ギア部１０８は、上記のように、ホルダ１０４に一体的に形成されており、ホルダ１０４の回転軸１０４Ａを中心としたギアの一部として形成されている。
【００３１】
このギア部１０８に噛み合わされるウォームギア１１０は、カメラ本体１２に対して水平に配置されており、その回転軸１１０Ａが軸受１１２、１１２に軸支されている。このウォームギア１１０の回転軸１１０Ａを軸支する軸受１１２、１１２は、図示しないカメラ本体１２の内部フレームに固定されている。
【００３２】
傾き調整ツマミ６０は、ウォームギア１１０の回転軸１１０Ａの一端に固定されている。したがって、この傾き調整ツマミ６０を回転させると、ウォームギア１１０が回転し、このウォームギア１１０の回転がギア部１０８に伝達されて、ホルダ１０４が回動する。
【００３３】
傾き調整機構１００は以上のように構成される。この傾き調整機構１００によれば、傾き調整ツマミ６０を回転させると、その回転量に応じてウォームギア１１０が回転し、このウォームギア１１０の回転がギア部１０８に伝達されて、ホルダ１０４が回動する。そして、このホルダ１０４が回動することにより、ホルダ１０４に取り付けられたＣＣＤ１０２が光軸Ｌ周りに回動し、その傾きが調整される。
【００３４】
さて、このように本実施の形態のデジタル一眼レフカメラ１０では、傾き調整ツマミ６０を回転させることにより、ＣＣＤ１０２の光軸周りの傾きを修正することができる。そして、このようにＣＣＤ１０２の光軸周りの傾きを修正できることにより、ファインダ接眼部３８を介して確認される画像（ファインダ画像）と実際に撮影される画像（撮影画像）との間に傾き方向のズレが生じている場合であっても、そのズレを修正することができる。
【００３５】
以下、このファインダ画像と撮影画像との傾きの調整方法について説明する。
【００３６】
まず、一般的な一眼レフカメラのファインダ光学系の構成について説明する。図３に示すように、撮影レンズ１４とＣＣＤ１０２の間には、クイックリターンミラー１２０が４５°傾けられて設置されている。撮影レンズ１４を透過した被写体光は、このクイックリターンミラー１２０によって上方に反射され、ＣＣＤ１０２の受光面と共役位置に配置されたフォーカシングスクリーン１２２のマット面上に被写体像を左右逆像として形成する。このフォーカシングスクリーン１２２のマット面上に形成された被写体像は、ペンタプリズム１２４により左右反転され、正立正像とされて、ファインダ接眼部３８から接眼レンズ１２６で拡大観察される。
【００３７】
撮影レンズ１４とＣＣＤ１０２の間に配置されたクイックリターンミラー１２０は、撥ね上げ可能に構成されており、撮影時、撥ね上げられて撮影光路から退避させられ、撮影終了後、元の位置に復帰する。
【００３８】
また、フォーカシングスクリーン１２２の上部には、視野枠１２８が取り付けられており、この視野枠１２８によってファインダ視野（ファインダ接眼部３８から観察できる視野範囲）が規制されている。
【００３９】
図５は、ファインダ接眼部から観察されるファインダ像の一例を示す図である。同図に示すように、視野枠１２８によってファインダ視野が規制される。なお、本例では、フォーカシングスクリーン１２２のマット面に方眼及びフォーカシングフレームが刻印されたものを用いられている。このようにマット面に方眼が刻印されたフォーカシングスクリーン１２２を用いることにより、傾きの確認を容易に行うことができる。なお、このような方眼等は、ファインダ視野にスーパーインポーズ表示させることもできる。
【００４０】
さて、上記のように、一眼レフカメラでは、ファインダ接眼部３８からフォーカシングスクリーン上の被写体像を観察することにより、フォーカシング及びフレーミングが行われるが、このフォーカシングスクリーン１２２あるいは視野枠１２８がファインダ光学系の光軸ＬＦ周りに傾いて取り付けられていると、ＣＣＤ１０２が正確に取り付けられていても、撮影画像とファインダ画像との間に傾き方向のズレが生じる。同様にフォーカシングスクリーン１２２と視野枠１２８が正確に取り付けられていても、ＣＣＤ１０２が光軸Ｌ周りに傾いて取り付けられていると、撮影画像とファインダ画像との間に傾き方向のズレが生じる。
【００４１】
そこで、ファインダ画像と撮影画像との間に傾き方向のズレが生じている場合は、傾き調整ツマミ６０を回転させることにより、ＣＣＤ１０２の光軸周りの傾きを修正し、両者を一致させる。以下、この修正手順について説明する。
【００４２】
まず、図６（ａ）に示すように、水平が確認できる被写体をファインダ接眼部３８から観察する。ここでは、海に浮かぶヨットを観察するものとする。そして、その被写体の水平基準線をフォーカシングスクリーン１２２に刻印された方眼目の水平線に合わせて撮影を行う。ここでは、海の水平線を方眼目の水平線に合わせて撮影を行う。なお、ファインダ視野に方眼が表示されていない場合には、視野枠１２８の下辺を被写体の水平基準線に合わせて撮影を行う。
【００４３】
次に、図６（ｂ）に示すように、撮影した画像をカメラ本体１２の背面に設けられた液晶モニタ４２に表示させる。そして、その表示を見て、撮影した画像が水平に撮影されているか否かを確認する。この際、画像に重ねて方眼目を表示させることが好ましい。これにより、撮影した画像が、水平に撮影されているか否かを容易に確認することができる。
【００４４】
確認した画像が、水平に撮影されていない場合は、傾き方向を確認し、傾き調整ツマミ６０を回転させて、ＣＣＤ１０２の傾きを調整する。
【００４５】
この後、再度、水平が確認できる被写体をファインダ接眼部３８から観察し、その被写体の水平基準線をフォーカシングスクリーン１２２に刻印された方眼目の水平線に合わせて撮影を行う。そして、その撮影した画像をカメラ本体１２の背面に設けられた液晶モニタ４２に表示させ、撮影した画像が水平に撮影されているか否かを確認する。
【００４６】
このように、撮影と画像確認を繰り返し実行し、図６（ｃ）に示すように、撮影した画像が水平に撮影されていることが確認されたところで調整作業を終了する。これにより、ファインダ画像と撮影画像の傾き方向のズレが矯正され、ファインダ接眼部３８から見たままの画像が撮影されるようになる。
【００４７】
以上説明したように、本実施の形態のデジタル一眼レフカメラ１０によれば、ＣＣＤ１０２を光軸周りに回動可能に保持し、光軸周りの傾きを修正できるので、ＣＣＤ１０２とフォーカシングスクリーン１２２又は視野枠１２８とが相対的に傾いて取り付けられている場合であっても、そのズレを簡単に修正することができる。これにより、製造時の取付精度をラフにでき、製造効率を上げることができる。
【００４８】
なお、上記の例では、ＣＣＤ１０２を光軸Ｌ周りに回動可能に支持し、ＣＣＤ１０２を回動させることにより、ＣＣＤ１０２とフォーカシングスクリーン１２２又は視野枠１２８との相対的な傾きを修正するように構成しているが、フォーカシングスクリーン１２２及び／又は視野枠１２８をファインダ光学系の光軸ＬＦの周りに回動可能に支持し、このフォーカシングスクリーン１２２及び／又は視野枠１２８を光軸ＬＦの周りに回動させることにより、ＣＣＤ１０２とフォーカシングスクリーン１２２又は視野枠１２８との相対的な傾きを修正するようにしてもよい。
【００４９】
図７、図８は、それぞれフォーカシングスクリーン１２２及び視野枠１２８を光軸ＬＦの周りに回動させることにより、ＣＣＤ１０２とフォーカシングスクリーン１２２又は視野枠１２８との相対的な傾きを修正する場合の傾き調整機構２００の概略構成を示す平面図と側面図である。
【００５０】
同図に示すように、この場合、傾き調整機構２００は、フォーカシングスクリーン１２２及び視野枠１２８が取り付けられるホルダ２０４と、そのホルダ２０４を回動可能に支持する一対のガイド部材２０６、２０６と、そのホルダ２０４に一体的に形成されたギア部２０８と、ギア部２０８に噛み合わされるウォームギア２１０と、ウォームギア２１０を回転させる傾き調整ツマミ２１２とで構成される。
【００５１】
ホルダ２０４は、板状に形成されており、その回転中心位置にフォーカシングスクリーン取付部２０４Ａと視野枠取付部２０４Ｂとが形成されている。このフォーカシングスクリーン取付部２０４Ａと視野枠取付部２０４Ｂは、段状の開口部として形成されており、フォーカシングスクリーン１２２と視野枠１２８は、このフォーカシングスクリーン取付部２０４Ａと視野枠取付部２０４Ｂにそれぞれ嵌め込まれてホルダ２０４に取り付けられている。
【００５２】
また、このホルダ２０４には、一対の被ガイド部２０４Ｃ、２０４Ｃが張り出して形成されている。この一対の被ガイド部２０４Ｃ、２０４Ｃは、ホルダ２０４の回転中心を中心とした円盤の一部として形成されており、この一対の被ガイド部２０４Ｃ、２０４Ｃが、一対のガイド部材２０６、２０６に摺動自在に支持されることにより、ホルダ２０４がカメラ本体１２に回動自在に支持される。
【００５３】
一対のガイド部材２０６、２０６は、図示しないカメラ本体１２の内部フレームに固定されている。この一対のガイド部材２０６、２０６は、それぞれ円弧状のガイド面を備えており、このガイド面でホルダ２０４の被ガイド部２０４Ｃ、２０４Ｃを摺動自在に支持することにより、ホルダ２０４を回動自在に支持する。
【００５４】
この一対のガイド部材２０６、２０６に回動自在に支持されたホルダ２０４は、ファインダ光学系の光軸ＬＦを回動中心として回動し、これにより、ホルダ２０４に取り付けられたフォーカシングスクリーン１２２及び視野枠１２８がファインダ光学系の光軸ＬＦを回動中心として回動する。
【００５５】
ギア部２０８は、上記のように、ホルダ２０４に一体的に形成されており、ホルダ２０４の回転中心を中心としたギアの一部として形成されている。
【００５６】
このギア部２０８に噛み合わされるウォームギア２１０は、カメラ本体１２に対して水平に配置されており、その回転軸２１０Ａが軸受２１４、２１４に軸支されている。このウォームギア２１０の回転軸２１０Ａを軸支する軸受２１４、２１４は、図示しないカメラ本体１２の内部フレームに固定されている。
【００５７】
傾き調整ツマミ２１２は、カメラ本体１２の背面に設けられており、ウォームギア２１０の回転軸２１０Ａの一端に固定されている。したがって、この傾き調整ツマミ２１２を回転させると、ウォームギア２１０が回転し、このウォームギア２１０の回転がギア部２０８に伝達されて、ホルダ２０４が回動する。
【００５８】
以上のように構成された傾き調整機構２００によれば、傾き調整ツマミ２１２を回転させると、その回転量に応じてウォームギア２１０が回転し、このウォームギア２１０の回転がギア部２０８に伝達されて、ホルダ２０４が回動する。そして、このホルダ２０４が回動することにより、ホルダ２０４に取り付けられたフォーカシングスクリーン１２２及び視野枠１２８がファインダ光学系の光軸ＬＦ周りに回動し、その傾きが調整される。
【００５９】
なお、傾きの修正方法は、上記実施の形態の場合同じである。すなわち、撮影した画像が水平に撮影されるまで、撮影と画像確認を繰り返し実行し、フォーカシングスクリーン１２２とＣＣＤ１０２との相対的な傾きを修正する。
【００６０】
次に本発明に係るデジタル一眼レフカメラの第２の実施の形態について説明する。
【００６１】
上記実施の形態のデジタル一眼レフカメラでは、ＣＣＤを光軸周りに回動させることにより、ＣＣＤとフォーカシングスクリーン又は視野枠との相対的な傾きを修正しているが、本実施の形態のデジタル一眼レフカメラでは、ソフト的にＣＣＤとフォーカシングスクリーン又は視野枠との相対的な傾きを修正する。すなわち、ファインダ画像と撮影画像との間に傾き方向のズレが生じている場合、撮影された画像に画像処理を施して傾きを修正する。
【００６２】
また、上記の例では、フォーカシングスクリーン１２２と視野枠１２８とが共に回動する構成とされているが、いずれか一方のみを回動させる構成としてもよい。すなわち、視野枠を備えない構成の場合には、フォーカシングスクリーンを回動させる構成とし、視野枠がフォーカシングスクリーンと独立して設置されている場合には、視野枠のみを回動させる構成としてもよい。
【００６３】
また、上記一連の実施の形態では、傾き調整ツマミにより手動でＣＣＤ等を回動させる構成としているが、モータ等を用いて電動で駆動する構成としてもよい。この場合、回動の指示は、メニュー画面等を用いて行うようにしてもよい。
【００６４】
また、傾き調整ツマミによる回転操作でＣＣＤ等を回動させる構成とするのではなく、スライドレバー等の直動操作を回転運動に変換して、回転させる構成としてもよい。
【００６５】
図９は、第２の実施の形態のデジタル一眼レフカメラによる傾き修正方法の概念図である。
【００６６】
同図に示すように、本実施の形態のデジタル一眼レフカメラでは、撮影画像がファインダ画像に対して傾いていた場合（同図（ａ））、撮影画像を回転させ（同図（ｂ））、その回転させた画像の一部を切り出すことより（同図（ｃ））、ファインダ画像と撮影画像との傾き方向のズレを修正する。
【００６７】
画像の回転は、ユーザからの指示に応じて行われ、指示された回転量で画像を回転させる。画像の回転は、画像の中心を回転中心として行う。そして、その回転させた画像から撮影時のアスペクト比と同じアスペクト比で画像を切り出し、切り出した画像を撮影画像として記録する。
【００６８】
図１０は、本実施の形態のデジタル一眼レフカメラのカメラ本体３００の概略構成を示すブロック図である。
【００６９】
なお、カメラの外観構成やファインダ光学系の構成等のデジタル一眼レフカメラの基本的な構成については、上述した第１の実施の形態のデジタル一眼レフカメラと同じなので、ここでは信号処理に係わる部分の構成についてのみ説明する。
【００７０】
同図に示すように、本実施の形態のデジタル一眼レフカメラのカメラ本体３００は、ＣＰＵ３１０、操作部（シャッタボタン、電源ボタン、メニューボタン、ＯＫボタン、キャンセルボタン、十字ボタン、再生ボタン等の各種操作ボタン）３１２、ＲＯＭ３１６、ＥＥＰＲＯＭ３１８、メモリ（ＳＤＲＡＭ）３２０、ＶＲＡＭ３２２、撮像素子（本実施の形態ではＣＣＤとする）３２４、タイミングジェネレータ（ＴＧ）３２６、アナログ信号処理回路３２８、Ａ／Ｄ変換器３３０、画像入力コントローラ３３２、画像信号処理回路３３４、圧縮・伸張処理回路３３６、メディアコントローラ３３８、メモリカード３４０、表示制御回路３４２、液晶モニタ３４４等を構成されている。
【００７１】
ＣＰＵ３１０は、カメラ本体３００に装着された交換レンズを含めカメラ全体の動作を統括制御する制御部として機能し、操作部３１２からの入力に基づき所定の制御プログラムに従ってデジタル一眼レフカメラの各部を制御する。
【００７２】
ＲＯＭ３１６には、このＣＰＵ３１０が実行する制御プログラム及び制御に必要な各種データ等が格納されており、ＥＥＰＲＯＭ３１８には、ユーザ設定情報等のデジタル一眼レフカメラの動作に関する各種設定情報等が格納されている。
【００７３】
メモリ（ＳＤＲＡＭ）３２０は、ＣＰＵ３１０の演算作業用領域として利用されるとともに、画像データの一時記憶領域として利用され、ＶＲＡＭ３２２は、表示用の画像データ専用の記憶領域として利用される。
【００７４】
ＣＣＤ３２４は、カラーＣＣＤで構成されており、その受光面には多数のフォトダイオードが規則的に配列されている。撮影レンズを介してＣＣＤ３２４の受光面に入射した光は、各フォトダイオードによってその入射光量に応じた量の信号電荷に変換される。
【００７５】
タイミングジェネレータ（ＴＧ）３２６は、ＣＰＵ３１０からの指令に従い、主としてＣＣＤ３２４を駆動するためのタイミング信号を生成する。ＣＣＤ３２４は、このタイミングジェネレータ３２６から加えられるタイミング信号に従って各フォトダイオードに蓄積された信号電荷を電圧信号（画像信号）として出力する。
【００７６】
アナログ信号処理回路３２８は、ＣＣＤ３２４から順次出力される画像信号を相関二重サンプリング処理するとともに増幅する。
【００７７】
Ａ／Ｄ変換器３３０は、このアナログ信号処理回路３２８から出力されたＲ、Ｇ、Ｂのアナログの画像信号をデジタルの画像信号に変換する。
【００７８】
画像入力コントローラ３３２は、所定容量のバッファメモリを内蔵しており、Ａ／Ｄ変換器３３０から出力された１コマ分の画像信号を蓄積して、メモリ３２０に格納する。
【００７９】
画像信号処理回路３３４は、ＣＰＵ３１０からの指令に従ってメモリ３２０に格納された画像信号を処理し、輝度データと色差データとからなる画像データを生成する。
【００８０】
圧縮・伸張処理回路３３６は、ＣＰＵ３１０からの指令に従って画像信号処理回路３３４で生成された画像データに所定の圧縮処理を施し、圧縮画像データを生成する。また、圧縮された画像データに所定の伸張処理を施して、非圧縮の画像データを生成する。
【００８１】
メディアコントローラ３３８は、ＣＰＵ３１０からの指令に従い、撮影により得られた画像データをメモリカード３４０に記録し、また、記録済み画像をメモリカード３４０から読み出す。
【００８２】
表示制御回路３４２は、ＣＰＵ３１０からの指令に従い液晶モニタ３４４への表示を制御する。
【００８３】
以上のように構成された本実施の形態のデジタル一眼レフカメラの作用は次のとおりである。
【００８４】
まず、一般的な画像記録の手順について説明する。
【００８５】
シャッタボタンによりＣＰＵ３１０に撮影指示が入力されると、ＣＰＵ３１０は所要の撮影制御を行って、ＣＣＤ３２４で一コマ分の画像を撮像する。
【００８６】
ＣＣＤ３２４で撮像された一コマ分の画像信号は、アナログ信号処理回路３２８、Ａ／Ｄ変換器３３０、画像入力コントローラ３３２を介してメモリ３２０に格納され、メモリ３２０から画像信号処理回路３３４に加えられる。画像信号処理回路３３４は、入力された画像信号に対して所要の信号処理を施して、輝度データと色差データとからなる画像データを生成する。
【００８７】
生成された画像データは、メモリ３２０に一旦格納された後、圧縮・伸張処理回路３３６に加えられ、所定の圧縮処理が施された後、メモリ３２０に再度格納される。
【００８８】
ＣＰＵ３１０は、このメモリ３２０に格納された圧縮画像データに対して所定の撮影情報を付加した所定フォーマットの画像ファイルを生成し、メディアコントローラ３３８を介してメモリカード３４０に記録する。
【００８９】
このようにしてメモリカード３４０に記録された画像データは、再生指令に応じてメモリカード３４０から読み出され、液晶モニタ３４４に再生表示される。すなわち、
再生ボタンによりＣＰＵ３１０に再生指示が入力されると、ＣＰＵ３１０は、メディアコントローラ３３８を介してメモリカード３４０に最後に記録された画像ファイルの圧縮画像データを読み出す。読み出された圧縮画像データは、圧縮・伸張処理回路３３６に加えられ、非圧縮の画像データとされたのちＶＲＡＭ３２２に格納される。そして、このＶＲＡＭ３２２に格納された画像ファイルが表示制御回路３４２に加えられ、モニタ表示用の信号形式に変換されて液晶モニタ３４４に出力される。これにより、メモリカード３４０に記録されている画像が液晶モニタ３４４に再生表示される。
【００９０】
また、十字ボタン等によって画像のコマ送りが指示されると、次の画像がメモリカード３４０から読み出され、液晶モニタ３４４に再生表示される。また、コマ戻しが指示されると、一つ前の画像がメモリカード３４０から読み出され、液晶モニタ３４４に再生表示される。
【００９１】
さて、上記のように、本実施の形態のデジタル一眼レフカメラでは、ユーザから画像の回転が指示されると、指示された回転量で撮影画像を回転させ、その回転させた画像から撮影時のアスペクト比と同じアスペクト比で画像を切り出し、その切り出した画像を撮影画像として記録するように構成されている。
【００９２】
ここで、画像の回転指示は、たとえば、液晶モニタ３４４の表示を利用して次のように行う。すなわち、セットアップメニューの一つとして傾き調整の項目を用意しておき、この傾き調整の画面を液晶モニタ３４４に呼び出して画像の回転指示を行う。
【００９３】
図１１は、画像の回転指示を行う画面の一例を示している。同図に示すように、本例では液晶モニタ３４４の画面に傾きの目盛を表示し、その目盛上に表示されるカーソルを＋又は−方向に移動させることにより、画像の回転量を指示する構成とされている。カーソルの移動指示は、たとえば、十字ボタンの左右のボタンを用いて行われる。
【００９４】
なお、本例では画像の傾きのイメージを示すために、傾きの目盛と同時に枠が表示され、この枠が指示された回転量に応じて回転するように構成されている。
【００９５】
また、他の回転指示の方法として、図１２に示すように、撮影済み画像を液晶モニタ３４４に表示させ、画像の傾き量を確認しながら回転量を指示できるようにしてもよい。すなわち、回転を指示すると、指示された回転量で回転させた画像が液晶モニタ３４４に表示されるように構成し、この液晶モニタ３４４の表示を見ながら回転量を指示できるように構成する。
【００９６】
なお、同図に示す例では、液晶モニタ３４４の画面右上に回転量を指示する数値が表示され、この数値を上下させることにより、回転指示ができるようにされている。数値の上下は、たとえば十字ボタンの上下のボタンを用いて行い、この十字ボタンの押圧操作に基づいてＣＰＵ３１０は、再生中の画像の画像データから回転画像を生成し、液晶モニタ３４４に再表示させる。
【００９７】
この他、画像の回転指示の方法としては、カメラ本体に専用の指示ボタン、レバー、ダイヤル等を設け、これらの操作部材から直接回転量を指示するようにしてもよい。また、回転角度を数値で入力できるように構成し、指示された回転角度で画像を回転させるようにしてもよい。
【００９８】
このようにして回転指示が行われると、ＣＰＵ３１０は、その画像の回転指示情報をＥＥＰＲＯＭ３１８に記録する。そして、画像記録時に、そのＥＥＰＲＯＭ３１８に記録された情報に基づいて画像を回転し、回転させた画像から撮影時のアスペクト比と同じアスペクト比で画像を切り出して、切り出した画像を撮影画像として記録する。
【００９９】
なお、画像を切り出す範囲は、画像の回転量（回転角度）ごとに設定されており、撮影時のアスペクト比と同じアスペクト比で切り出し可能な最大の範囲に設定されている。
【０１００】
図１３は、第２の実施の形態のデジタル一眼レフカメラの画像の記録処理の手順を示すフローチャートである。
【０１０１】
同図に示すように、まず、撮影指示の有無が判定され（ステップＳ１０）、ＣＰＵ３１０は、撮影指示ありと判定すると、所要の撮影処理を実行する（ステップＳ１１）。すなわち、所要の撮影制御を行って、ＣＣＤ３２４で一コマ分の画像を撮像する。
【０１０２】
ＣＣＤ３２４で撮像された一コマ分の画像信号は、アナログ信号処理回路３２８、Ａ／Ｄ変換器３３０、画像入力コントローラ３３２を介してメモリ３２０に格納され、メモリ３２０から画像信号処理回路３３４に加えられる。画像信号処理回路３３４は、入力された画像信号に対して所要の信号処理を施すことにより、輝度データと色差データとからなる画像データを生成する。生成された画像データは、メモリ３２０に格納される。
【０１０３】
ここで、ＣＰＵ３１０は、ＥＥＰＲＯＭ３１８に記録された情報に基づいて画像の傾き修正の指示の有無を判定する（ステップＳ１２）。そして、傾き修正の指示なしと判定すると、所要の記録処理を実行する（ステップＳ１５）。すなわち、メモリ３２０に格納された画像データに対して所定の圧縮処理を施し、所定フォーマットの画像ファイルとしてメモリカード３４０に記録する。
【０１０４】
一方、画像の傾き修正の指示ありと判定すると、メモリ３２０に格納された画像に対して傾きの修正処理を実行する。すなわち、まず、ＥＥＰＲＯＭ３１８に記録された情報に基づいて画像を指示された回転量で回転させる処理を行う（ステップＳ１３）。そして、その回転させた画像から撮影時のアスペクト比と同じアスペクト比で画像を切り出す処理を行う（ステップＳ１４）。これにより、傾きが修正された画像が生成されるので、この生成された画像に対して所要の記録処理を実行する（ステップＳ１５）。すなわち、メモリ３２０に格納された画像データに対して所定の圧縮処理を施し、所定フォーマットの画像ファイルとしてメモリカード３４０に記録する。
【０１０５】
このようの本実施の形態のデジタル一眼レフカメラによれば、上記第１の実施の形態のデジタル一眼レフカメラと同様に、ＣＣＤとフォーカシングスクリーン又は視野枠とが相対的に傾いて取り付けられている場合であっても、そのズレを簡単に修正することができる。これにより、製造時の取付精度をラフにでき、製造効率を上げることができる。
【図面の簡単な説明】
【０１０６】
【図１】デジタル一眼レフカメラの外観構成を示す正面斜視図
【図２】デジタル一眼レフカメラの外観構成を示す背面斜視図
【図３】第１の実施の形態のデジタル一眼レフカメラに組み込まれたＣＣＤの傾き調整機構の概略構成示す側面図
【図４】第１の実施の形態のデジタル一眼レフカメラに組み込まれたＣＣＤの傾き調整機構の概略構成示す正面図
【図５】ファインダ接眼部から観察されるファインダ像の一例を示す図
【図６】傾きの修正手順の説明図
【図７】傾き調整機構の他の実施の形態の概略構成を示す平面図
【図８】傾き調整機構の他の実施の形態の概略構成を示す側面図
【図９】第２の実施の形態のデジタル一眼レフカメラによる傾き修正方法の概念図
【図１０】第２の本実施の形態のデジタル一眼レフカメラのカメラ本体の概略構成を示すブロック図
【図１１】画像の回転指示を行う画面の一例を示す図
【図１２】画像の回転指示を行う画面の一例を示す図
【図１３】第２の実施の形態のデジタル一眼レフカメラの画像の記録処理の手順を示すフローチャート
【符号の説明】
【０１０７】
１０…デジタル一眼レフカメラ、１２…カメラ本体、１４…撮影レンズ、２４…シャッタボタン、３８…ファインダ接眼部、４２…液晶モニタ、６０…傾き調整ツマミ、１００…傾き調整機構、１０２…ＣＣＤ、１０４…ホルダ、１０６…軸受、１０８…ギア部、１１０…ウォームギア、１１２…軸受、１２０…クイックリターンミラー、１２２…フォーカシングスクリーン、１２４…ペンタプリズム、１２６…接眼レンズ、１２８…視野枠、２００…傾き調整機構、２０４…ホルダ、２０６…ガイド部材、２０８…ギア部、２１０…ウォームギア、２１２…傾き調整ツマミ、３００…カメラ本体、３１０…ＣＰＵ、３１２…操作部、３１６…ＲＯＭ、３１８…ＥＥＰＲＯＭ、３２０…メモリ（ＳＤＲＡＭ）、３２２…ＶＲＡＭ、３２４…ＣＣＤ、３２６…タイミングジェネレータ（ＴＧ）、３２８…アナログ信号処理回路、３３０…Ａ／Ｄ変換器、３３２…画像入力コントローラ、３３４…画像信号処理回路、３３６…圧縮・伸張処理回路、３３８…メディアコントローラ、３４０…メモリカード、３４２…表示制御回路、３４４…液晶モニタ
【図１】
2007306417.tif 000003
【図２】
2007306417.tif 000004
【図３】
2007306417.tif 000005
【図４】
2007306417.tif 000006
【図５】
2007306417.tif 000007
【図６】
2007306417.tif 000008
【図７】
2007306417.tif 000009
【図８】
2007306417.tif 000010
【図９】
2007306417.tif 000011
【図１０】
2007306417.tif 000012
【図１１】
2007306417.tif 000013
【図１２】
2007306417.tif 000014
【図１３】
2007306417.tif 000015